(57)【特許請求の範囲】
【請求項１】
バーナへのガス供給路に設けられる電磁安全弁と、
電源としての電池の電圧を昇圧する昇圧手段と、
上記昇圧された電力を電源として、上記電磁安全弁への通電を制御する通電制御手段と、
上記昇圧された電力を電源として、上記電池の電圧を監視し、上記電池電圧が第１の所定電圧以下と判定した場合、上記電磁安全弁の閉弁制御信号を出力する電圧監視手段と、
上記閉弁制御信号により上記電磁安全弁への通電ラインを遮断するスイッチング素子と、
上記昇圧電圧が上記電圧監視手段の動作可能な電源電圧の限界値より高い第２の所定電圧以下に低下した場合、上記スイッチング素子をＯＦＦするように、ツェナー電圧または順方向電圧が設定されたダイオードを上記スイッチング素子の制御信号入力ラインに設けたことを特徴とする燃焼装置。
【発明の詳細な説明】
【０００１】
【発明の属する技術分野】
本発明は燃焼装置に関し、詳しくは電池電源を利用する燃焼装置に関する。
【０００２】
【従来の技術】
従来より、コンロには種々の安全装置を備えており、センサ等によって機器の状態を検出し、コントローラによる判定結果から燃焼を制御している。
例えば、図２に示すコンロは、コントローラ６０の中枢に周知の算術論理演算回路を構成するＣＰＵ、制御プログラムを記憶するＲＯＭ、演算処理中に各種のデータを一時的に記憶するＲＡＭ等から構成されるマイコン１００を備えている。
このマイコン１００のソフトウェアによる機能を分り易くするため、機能別に大別して説明すると、マイコン１００には、乾電池１６の電圧が所定レベル以下に低下するか否かを監視する電池電圧監視部６ａと、バーナ１上方に載置される調理鍋２の鍋底温度が所定レベル以下か否かを監視する鍋底温度検出部６ｂと、燃焼炎で加熱される熱電対４の熱起電力が所定レベル以上か否かを監視する炎検出部６ｃと、ガス流路を開閉するマグネット式安全弁８の保持コイル８ａへ電池電力を供給して開弁保持する開弁保持部６ｄと、コンロの消し忘れを防止するため所定時間経過後に燃焼を停止するタイマ部６ｅとからなる機能を備えている。
【０００３】
例えば、天ぷら火災、こげつき等を防止するために、バーナヘッドに温度検出するサーミスタ３を設け、このサーミスタ３により、調理鍋２の鍋底温度を検出し、検出温度が設定上限温度以上か否かをコントローラ６０に設けられるマイコン１００の鍋底温度検出部６ｂで判定し、その判定結果からガス流路の開閉を制御している。
【０００４】
また、コンロには燃焼炎の有無を監視する立消え安全装置が設けられる。
即ち、バーナヘッドに燃焼炎の加熱によって熱起電力を発生する熱電対４が設けられ、マイコン１００に設けられる炎検出部６ｃにより、熱電対４の発生する熱起電力が所定値以上か否かにより炎の有無を判定し、判定結果により、ガス流路の開閉を制御している。
【０００５】
また、コンロではマイコン１００の電源として乾電池１６を使用しており、マイコン１００の電池電圧監視部６ａにより乾電池電源の電圧低下を監視している。
電池電圧監視部６ａは、乾電池１６の電圧が所定電圧以下に低下したと判定すると、マイコン１００の開弁保持部６ｄによりマグネット式安全弁８への通電を中止して燃焼をさせないようにしている。
例えば、電池電圧が低下して２．１ｖになったら、電池交換ランプ１７を点灯して電池交換時期を使用者に知らせる。このまま電池交換をしないで使用され、更に、乾電池１６の電圧が１．８ｖ以下に低下するとマグネット式安全弁８への通電を遮断する。
この場合に、マイコン１００は５ｖに昇圧された電源で作動し、電池電圧を昇圧する昇圧回路１１は電池電圧が０．９ｖ以上あれば常に５ｖに昇圧してマイコン１００に供給している。
従って、電池電圧が１．８ｖ以下に低下した時はマイコン１００への電源電圧が５Ｖであるため、マグネット式安全弁８への通電を確実にＯＦＦできる。
しかしながら、最初から０．９ｖ未満の電池を入れた場合では昇圧された電圧が５ｖより下がりマイコン１００の動作が不安定となる。
例えば、乾電池電圧が０．９ｖ以下となると、図３に示すように、昇圧回路１１が一定電圧５ｖを確保できなくなり、この昇圧電圧がマイコン１００の動作保証限界（２．７ｖ）以下に低下する場合には、コントローラ６０の電池電圧監視部６ａが正常に判定しなくなると共に、開弁保持部６ｄがガス流路を閉じることができなくなる可能性がある。
そこで、マイコン１００の電源電圧がその動作保証電圧（２．７ｖ）以上であることを確認するため、３ｖ以下か否かを監視する昇圧電圧監視部ＶＤ１３０が設けられ、３ｖ以下に低下した場合には、直ちに燃焼を停止している。
【０００６】
【発明が解決しようとする課題】
しかしながら、このような電圧監視部ＶＤ１３０は高価であるという問題があった。
また、乾電池１６の電圧は、使用に応じて除々に低下するばかりでなく、長期間不使用による放電のために電圧が大きく低下していたり、乾電池内部の内部抵抗が増えて大きな電圧降下を生じたり、古い乾電池１６と入れ替えた場合には、乾電池１６の電圧が極端に低くなってしまう場合がある。
この場合であっても昇圧電圧によって作動する昇圧電圧監視部ＶＤ１３０が正常に作動する場合には燃焼を停止できるものの、更に昇圧電圧が低下して昇圧電圧監視部ＶＤ１３０の作動保証電圧（０．９ｖ）以下に低下する場合には、遂に、昇圧電圧監視部ＶＤ１３０が正常に作動しなくなる。
従って、より安全性を高めるために、電池電圧が低下しても電圧の監視能力を失わない昇圧電圧監視回路が望まれていた。
そこで、本発明の燃焼装置は上記課題を解決し、昇圧電圧監視回路を安価にすると共に、電池電圧の極端な低下があっても電圧を確実に監視して安全性を高めることを目的とする。
【０００７】
【課題を解決するための手段】
上記課題を解決する本発明の請求項１記載の燃焼装置は、
バーナへのガス供給路に設けられる電磁安全弁と、
電源としての電池の電圧を昇圧する昇圧手段と、
上記昇圧された電力を電源として、上記電磁安全弁への通電を制御する通電制御手段と、
上記昇圧された電力を電源として、上記電池の電圧を監視し、上記電池電圧が第１の所定電圧以下と判定した場合、上記電磁安全弁の閉弁制御信号を出力する電圧監視手段と、
上記閉弁制御信号により上記電磁安全弁への通電ラインを遮断するスイッチング素子と、
上記昇圧電圧が上記電圧監視手段の動作可能な電源電圧の限界値より高い第２の所定電圧以下に低下した場合、上記スイッチング素子をＯＦＦするように、ツェナー電圧または順方向電圧が設定されたダイオードを上記スイッチング素子の制御信号入力ラインに設けたことを要旨とする。
【０００８】
上記構成を有する本発明の請求項１記載の燃焼装置は、電圧監視手段が昇圧された電力を電源として電池の電圧を監視し、電池電圧が第１の所定電圧以下と判定した場合、電磁安全弁の閉弁制御信号を出力し、スイッチング素子が電磁安全弁への通電ラインを遮断し、ガス供給路を閉じる。
また、昇圧電圧が第２の所定電圧以下に低下した場合に、スイッチング素子の制御信号入力ラインに設けたダイオードは、スイッチング素子をＯＦＦして電磁安全弁への通電ラインを遮断し、ガス供給路を閉じる。
つまり、スイッチング素子の制御信号入力ラインに接続したダイオードに、昇圧手段による昇圧電圧が印加され、この昇圧電圧がツェナー電圧または順方向電圧を超える場合に、スイッチング素子がＯＮして電磁安全弁を開弁保持する。
そして、昇圧電圧がツェナー電圧または順方向電圧より低くなるとスイッチング素子がＯＦＦして電磁安全弁を閉弁する。
従って、電池電圧が極端に低下して電圧監視手段から誤った制御がスイッチング素子に出力されても、確実にＯＦＦする。
例えば、電圧監視ＩＣのように動作保証電圧より電圧が低くなり過ぎた場合に監視能力を失うのと異なり、昇圧電圧がツェナー電圧または順方向電圧により設定された第２の所定電圧を越える場合にスイッチング素子を０Ｎし、越えない場合にＯＦＦしている。
従って、たとえ電池電圧が低く成り過ぎて、第２の所定電圧以下に昇圧電圧が低下する場合でも電磁安全弁を確実に遮断する。
また、第２の所定電圧は電圧監視手段の動作可能な電源電圧の限界値を越える値に定められるので、電圧監視回路が不安定な動作をする前に電磁安全弁への通電を遮断するため、安全性を高めることができる。
また、適正なツェナー電圧または順方向電圧を備えたダイオードを設けるだけで昇圧電圧を監視できるので、昇圧電圧監視回路を安価にできる。
【０００９】
【発明の実施形態】
以上説明した本発明の構成・作用を一層明らかにするために、以下本発明の燃焼装置の好適な実施例について説明する。
図１は一実施例としてのコンロの概略構成図である。
コンロは、燃料ガスと空気との混合気を燃焼するバーナ１を備え、バーナ１の上方に調理用鍋２が載置され、燃焼炎によって調理用鍋２が加熱される。
コンロのバーナ１の中央部には、温度検出するセンサ部（サーミスタ）３が設けられる。
センサ部３は、バーナ１上に載せられた調理用鍋２の鍋底に当接されて調理用鍋２の温度を検出する。
また、バーナ１には、燃焼熱によって熱起電力を発生する熱電対４が炎口と向かい合って設けられる。
【００１０】
押圧操作により進退する点火ボタン５には、点火時と消火時とで交互に点火ボタン５の進退位置を決定するプッシュプッシュ機構（図略）が設けられる。
プッシュプッシュ機構は、点火操作時に点火ボタン５が終端位置まで押し込まれてから押圧を解消すると中間位置（燃焼位置）で点火ボタン５を係止し、再度の押圧操作による消火操作で点火ボタン５を始端位置（停止位置）に戻すように設けられる。
また、点火ボタン５の進退と連動してＯＮ／ＯＦＦする点火スイッチ７ｂおよびＭｇスイッチ７ａが点火ボタン５の近傍に設けられる。
この点火スイッチ７ｂは、点火ボタン５による終端位置でのみＯＮして点火用の高電圧を発生するイグナイタ（図略）を作動させ、中間位置および始端位置で０ＦＦして停止する関係位置に設けられる。
また、Ｍｇスイッチ７ａは、点火ボタン５による終端位置および中間位置でＯＮしてコントローラ６へ通電し、始端位置で０ＦＦする関係位置に設けられる。
【００１１】
バーナ１のガス供給経路には、点火操作時に点火ボタン５による押圧力にて開弁され、押圧操作力を解くと解消後に閉弁可能状態とされるマグネット式安全弁８が設けられる。
マグネット式安全弁８には、接続されるコントローラ６から昇圧された乾電池電力が供給される保持コイル８ａと、この保持コイル８ａに通電されることによって電磁力を発生する鉄芯（図略）と、この鉄芯に吸着して弁体（図略）を開弁保持する吸着片（図略）と、弁体を閉弁方向に付勢するバネ（図略）とが設けられる。
また、マグネット式安全弁８の下流には、点火ボタン５と連動し、点火操作時に押動されることによってガス通路を開き、消火操作時に閉じる器具栓９が設けられる。
【００１２】
バーナ１の燃料ガスに点火する電極（図略）は、高電圧を発生するイグナイタ（図略）と接続され、イグナイタは、点火ボタン５と連動してＯＮ／ＯＦＦする点火スイッチ７ｂを介して乾電池１６に接続される。
【００１３】
コントローラ６は乾電池１６に接続されて電力が供給されると共に、点火ボタン５と連動して０Ｎ／ＯＦＦするＭｇスイッチ７ａに接続されて運転開始および停止が行われる。
また、コントローラ６の制御部の中枢には、周知の算術論理演算回路を構成するＣＰＵ、制御プログラムを記憶するＲＯＭ、演算処理中に各種のデータを一時的に記憶するＲＡＭ等から構成されるマイコン１０が設けられる。
このマイコン１０のソフトウェアによる機能を大別すると、乾電池１６の電圧が所定レベル以下に低下するか否かを監視する電池電圧監視部６ａと、バーナ１上方に載置される調理鍋２の鍋底温度が所定レベル以下か否かを監視する鍋底温度検出部６ｂと、熱起電力を発生する熱電対４が接続されて熱起電力が所定レベル以上か否かを監視する炎検出部６ｃと、マグネット式安全弁８の保持コイル８ａへ電池電力を供給する開弁保持部６ｄとから構成される。
また、開弁保持部６ｄには、連続燃焼時間を制限（例えば２時間）するタイマ部６ｅが設けられる。
開弁保持部６ｄは、保持コイル８ａへの通電を制御し、熱電対４の熱起電力が所定レベル以上であれば保持コイル８ａへ電池電力を供給し続ける。
そして、点火から一定時間（２時間）経過した場合には、タイマ部６ｅが保持コイル８ａへの電流を遮断し、コンロの消し忘れを防止する。
【００１４】
乾電池１６にはＤＣ／ＤＣコンバータを用いた昇圧回路１１が接続され、昇圧回路１１とマグネット式安全弁８の間には第１トランジスタ１２が設けられ、第１トランジスタ１２を介してマグネット式安全弁８に昇圧された電力が供給される。
第１トランジスタ１２（ＰＮＰ型）のエミッタは、昇圧回路１１と接続され、そのコレクタにマグネット式安全弁８の保持コイル８ａが接続される。
また、マイコン１０は、昇圧回路１１で昇圧された電力を電源として駆動するように昇圧回路１１に接続され、同様に、点火の際にコントローラ６のマイコン１０を初期化するイニシャルリセット部１３が接続される。
また、電池電圧監視部６ａは乾電池１６の電圧を検出する。
また、昇圧回路１１は、乾電池１６の電圧が０．９ｖ以上ある場合に常に５ｖの一定電圧を出力する。この昇圧回路１１の出力を電源とするマイコン１０は、その電源電圧が２．７ｖ以上であれば正常に作動し、乾電池１６の電圧の変動があっても安定して動作するように設定される。
また、第１トランジスタ１２のベースはツェナーダイオード１４を介して第２トランジスタ１５（ＮＰＮ型）のコレクタへ接続される。そして、第２トランジスタ１５は、エミッタ接地されベースがマイコン１０の出力ポート（８ａの通電制御信号出力ポート）に接続される。
従って、開弁保持部６ｄが第２トランジスタ１５をＯＮ／０ＦＦすると、それに伴って第１トランジスタ１２がＯＮ／ＯＦＦし、マグネット式安全弁８の保持コイル８ａへの通電が制御される。
この際に、昇圧回路１１によって昇圧された電圧がツェナーダイオード１４により設定された電圧を越えない場合には、ツェナーダイオード１４が電流を流さないために、第２トランジスタ１５がＯＮしていても第１トランジスタ１２がＯＮしない。
本実施例では、第２トランジスタ１５のコレクタ・エミッタ間に生じる電圧降下を０．７ｖとし、ツェナー電圧を３ｖとすると、昇圧された電圧が３．７ｖを越えない場合には、第１トランジスタ１２がＯＮしない。
これによる電圧監視については後述する。
【００１５】
次に、コンロの点火・消火動作を説明する。
まず、点火時に、点火ボタン５への押動操作によって器具栓９を開弁すると共に、マグネット式安全弁８を開弁してガス流路を開く。
同時に、点火スイッチ７ｂがＯＮされることによってイグナイタ（図略）へ電力が供給され、イグナイタはバーナ１へ連続放電して混合気に点火し、燃焼が開始される。
バーナ１に設けられる熱電対４は、加熱されることによって熱起電力を発生し、マイコン１０が所定レベル以上の熱起電力を検出するとマグネット式安全弁８に通電し、マグネット式安全弁８の電磁石に電磁力が発生する。マグネット式安全弁８は、押動操作を開放されても消火されるまで、この電磁力によって開弁し続ける。
【００１６】
消火に際しては、点火ボタン５を押し放す操作をすることによって、器具栓９が閉じられ、ガス流路を閉じて消火をする。
【００１７】
次に、立消え安全機能と過熱防止機能について説明する。
立消え安全機能は、燃焼時に炎の立消えがあった場合に、熱電対４による熱起電力が低下することによってガス流路を閉じて消火する。
つまり、マイコン１０の炎検出部６ｃは熱電対４の熱起電力が所定レベル以上あるか否かを監視し、所定レベル以下に低下した場合には、マグネット式安全弁８への通電を遮断する。そして、マグネット式安全弁８は、通電による電磁力を失ってガス流路を閉弁する。
一方、過熱防止機能は、燃焼時に消し忘れたり、焦げついたりして調理鍋２の鍋底温度が上昇して所定温度に達した場合に、ガス流路を閉じて消火する。
つまり、マイコン１０の鍋底温度検出部６ｂは、調理鍋２の底に当接するサーミスタ３が所定レベル以上の温度を検出した場合に、マグネット式安全弁８への通電を遮断して閉弁する。
【００１８】
次に、電圧監視機能について説明する。
電圧監視機能は、乾電池１６の電圧が低下した場合に機器の燃焼を停止させるようにしている。
乾電池１６を電源とするコンロでは、低電圧まで使用できるようにして、乾電池１６の交換頻度を少なくしている。
例えば、単１乾電池を２本（新品乾電池の電圧は３．３ｖ）用いたコンロでは、１年間以上燃焼装置を使用できるようにするために、乾電池１６の電圧が２．１ｖに低下するまで無交換で燃焼装置を使用できるようにしている。
そして、マイコン１０の電池電圧監視部６ａは、乾電池１６の電圧を監視しており、２．１ｖになったら電池交換ランプ１７を点灯して電池交換時期を使用者に知らせて電池交換を促す。
電池交換をしないでこのまま使用を続けた場合には、乾電池１６の電圧が１．８ｖ以下に低下した時点でトランジスタ１５への通電制御信号をＬｏｗレベルに落としてマグネット式安全弁８をＯＦＦする。
一方、昇圧回路１１は、乾電池１６の電圧が０．９ｖ以上であれば一定電圧５ｖに昇圧する能力を備えるように設けられており、マイコン１０に電源５ｖを供給する。
【００１９】
また、乾電池１６の電圧が０〜０．９ｖに低下している場合には、昇圧された電圧が５ｖより低下し（図３）、昇圧電圧が２．７ｖ以下ではマイコン１０の動作保証電圧を下まわってしまい、確実な電圧監視動作を保証できない。
しかし、本実施例では、昇圧された電圧が３．７ｖ以下となるとツェナーダイオード１４に通電されないために、第１トランジスタ１２がＯＦＦしてマグネット式安全弁８を閉弁することができる。
従って、乾電池１６の電圧が０〜０．９ｖとなり、マイコン１０が不安定な状態となってトランジスタ１５へ通電制御信号を出力しても第１トランジスタ１２が確実にＯＦＦし、マグネット式安全弁８への通電を確実に遮断し、コンロを安全に停止することができる。
しかも、監視する高価な電圧監視部ＶＤ１３０を設けないで、安価なツェナーダイオード１４を設けるだけで昇圧電圧を監視することができる。
【００２０】
次に、ガステーブルコンロのコントローラ６における具体的な回路構成の一例を図４に挙げて説明する。この回路は、コンロの用の回路に加熱庫を備えて魚等を加熱調理するグリル用の回路を付加したものである。
【００２１】
コントローラ６の制御部の中枢には、マイコンＵ１が設けられ、コンロおよびグリルの燃焼制御が行われる。
コントローラ６には、電池電圧ＶＣＣ２を５ｖに昇圧する昇圧回路１１が設けられ、この昇圧された電圧ＶＤＤがマイコンＵ１および各種回路へ電源として供給される。
このマイコンＵ１は電圧レベルを読み取るアナログ機能を備えており、マイコンＵ１の入力ポートＰ１と乾電池１６とは分割抵抗を介して接続され、電池電圧ＶＣＣ２が第１の所定電圧レベル以上か否かを監視する電池電圧監視回路４０を構成している。
また、電池電圧ＶＣＣ２が２．１ｖ以下に低下したことをマイコンＵ１が検出した場合に、点灯して電池交換時期を使用者に知らせる電池交換ランプ１７がマイコンＵ１の出力ポートＰ２に接続される。
更に、電池電圧ＶＣＣ２が１．８ｖ以下に低下したことを電池電圧監視回路４０が検出した場合には、出力ポートＰ５からの信号をＯＦＦし、後述するようにトランジスタＱ３、Ｑ２をＯＦＦし、ガス流路に設けたマグネット式安全弁８を閉弁して燃焼を停止する。
【００２２】
昇圧電源である昇圧回路１１は、トランジスタＱ２（ＰＮＰ型）のエミッタに接続され、トランジスタＱ２のコレクタからトランジスタＱ１（ＰＮＰ型）を介してマグネット式安全弁８に接続され、昇圧された電力がマグネット式安全弁８に供給される。
【００２３】
コンロの炎検出回路４１は、燃焼熱によって熱起電力を発生する熱電対４と、その熱起電力を増幅するオペアンプＵ３と、増幅された熱起電力とマイコンＵ１の出力ポートＰ６からの判定電圧とを比較するコンパレータＵ４とから構成される。
そして、コンパレータＵ４が所定電圧以上の熱起電力と判定した場合には、トランジスタＱ１をＯＮするように、コンパレータＵ４の出力側はトランジスタＱ１のベースに接続される。
また、トランジスタＱ１のベースとコンパレータＵ４間には、ツェナーダイオード１４が接続され、昇圧された電圧がツェナー電圧を越えない場合、即ち、昇圧電圧ＶＤＤが第２の所定電圧（３．７ｖ）以下の場合には、トランジスタＱ１をＯＦＦしてマグネット式安全弁８を閉弁するように、昇圧電圧監視回路４３が構成される。
一方、マイコンＵ１の作動保証電圧は２．７ｖであり、電池電圧ＶＣＣ２が低下して昇圧電圧ＶＤＤが３．７ｖになれば上述したように燃焼が停止されるため、電池電圧ＶＣＣ２が低下してもマイコンＵ１が異常とならない。
【００２４】
また、調理鍋２の鍋底温度を検出するサーミスタ３がマイコンＵ１の入力ポートＰ３、Ｐ４に接続されて鍋底温度検出回路４８が構成される。マイコンＵ１は電圧レベルを読み取るアナログ機能を備えており、サーミスタ３が所定温度範囲の温度を検出しているか否かを監視している。
調理鍋２の鍋底温度が所定温度範囲を越える場合には、出力ポートＰ６から出力するコンパレータＵ４の判定電圧を大きくし、トランジスタＱ１をＯＦＦしてマグネット式安全弁８を閉弁する。
また、マイコンＵ１には、バーナの消し忘れを防止するために、点火から２時間経過した場合に燃焼を停止するように、点火時からカウントするタイマが設定されている。そして、所定時間を経過した場合には、同様に、トランジスタＱ１をＯＦＦしてマグネット式安全弁８を閉弁する。
尚、トランジスタＱ１のコレクタは、マイコンＵ１の入力ポートＰ７に接続され、マグネット式安全弁８への通電状態がプリチェックされる。
【００２５】
また、トランジスタＱ２のベースはエミッタ接地されたトランジスタＱ３（ＮＰＮ型）のコレクタに接続され、トランジスタＱ３のベースは、コンデンサを介してマイコンＵ１の出力ポートＰ５に接続され、パルス検出回路４６を構成する。
マイコンＵ１が正常な場合には、マイコンＵ１側からパルス信号が出力されてトランジスタＱ３をＯＮし、マイコンＵ１が暴走してＬｏまたはＨｉを出力し続ける場合は、コンデンサによりトランジスタＱ３がＯＦＦしてＱ２をＯＦＦし、マグネット式安全弁８への通電ラインを遮断する。
従って、パルス検出回路４６はマイコンＵ１の故障有無を監視している。
【００２６】
尚、マイコンＵ１には、点火スイッチ７ｂがＯＮされた場合に、コンデンサと抵抗との組合わせによって、電源投入の立ち上がり遅れを作って、マイコンＵ１を初期化するイニシャルリセット回路４７が設けられ、入力ポートＶＤＤ、ＶＳＳに接続される。
また、マイコンＵ１を動作させるためのクロック回路４９が入力ポートＸＩＮ、ＸＯＵＴに接続される。
【００２７】
尚、グリルについては、コンロと同様にマイコンＵ１にて燃焼制御が行われるがコンロと異なって鍋底温度監視回路が不要である。また、点火２２分経過後に燃焼を停止することが異なり、各々の判定レベルも異なる。
しかし、原理的にはコンロと同一であるので、同一機能のものには同一符号を付し、コンロの説明をもって重複した説明を省略する。
【００２８】
以上により、本実施例に挙げたコンロでは、乾電池電圧ＶＣＣ２が第１の所定電圧以上、昇圧電圧ＶＤＤが第２の所定電圧以上、熱起電力が所定レベル以上、鍋底温度が所定温度の範囲、点火してから２時間未満であるというすべての条件に合致する場合に燃焼が継続される。そして、これらの条件を一つでも外れる場合には、直ちにマグネット式安全弁８を閉弁して燃焼を停止する。
【００２９】
以上、本発明の実施例について説明したが、本発明はこうした実施例に何等限定されるものではなく、本発明の趣旨を逸脱しない範囲において、種々なる態様で実施し得ることは勿論である。
例えば、本実施例では、テーブルコンロの燃焼装置について説明したが、給湯器や暖房器、炊飯器等の燃焼装置についても本発明を適用することができる。
また、ツェナー電圧を利用せずに順方向電圧を利用したダイオードを用いても良い。
【００３０】
【発明の効果】
以上詳述したように、本発明の燃焼装置によれば、電池電圧が低く成り過ぎても電池電圧および昇圧電圧の監視能力を失わずに、電磁安全弁を確実に遮断するので、安全性を高めることができる。
また、ダイオードのツェナー電圧や順方向電圧を設定するだけで昇圧電圧を監視できるので、昇圧電圧監視回路を設ける場合に比べて、安価になるという優れた効果を奏する。
【図面の簡単な説明】
【図１】一実施例としての燃焼装置の概略構成図である。
【図２】従来の燃焼装置の概略構成図である。
【図３】乾電池電圧と昇圧電圧との関係図である
【図４】一実施例としてのコントローラにおける回路構成の一例である。
【符号の説明】
６  コントローラ
８  マグネット式安全弁
８ａ保持コイル
１１  昇圧回路
１２  第１トランジスタ
１４  ツェナーダイオード
１５  第２トランジスタ
１６  乾電池
【図１】
0003836960.tif 000002
【図２】
0003836960.tif 000003
【図３】
0003836960.tif 000004
【図４】
0003836960.tif 000005